(57)【特許請求の範囲】
【請求項１】
音声再生中の音声記録媒体からのＰＣＭ音声信号について、パルスの所定方向のエッジを検出し、その検出ごとにプログラム上のタイマをリセットするとともに、前記タイマによりリセット時からの経過時間を測定開始し、前記タイマによる経過時間の測定値が第１の所定時間以上となったときには、音声記録媒体からのＰＣＭ音声信号が途切れたと判断することとし、リスニングモードをＰＣＭモード又はｄｔｓモードにして音声再生中、音声記録媒体からのＰＣＭ音声信号が途切れたと前記タイマの測定から判断したときは、その判断時点から第２の所定時間内のＰＣＭ音声信号の入力の有無を判断し、入力がないときは、ミュートを作動させるようにしたことを特徴とするＰＣＭ音声信号再生装置。
【請求項２】
再生中の音声記録媒体からのＰＣＭ音声信号は制御マイコン（１４）のエッジ割込みポートへ入力され、前記制御マイコン（１４）は、前記エッジ割込みポートへの入力パルスの所定方向のエッジごとに割込みを発生し、割込みごとに前記タイマのリセットを行うようにしていることを特徴とする請求項１記載のＰＣＭ音声信号再生装置。
【請求項３】
ミュートを作動させつつ、音声記録媒体からのＰＣＭ音声信号の入力を待ち受けしている状態において、ＰＣＭ音声信号が入力すると、そのＰＣＭ音声信号のサンプリング周波数を検出し、サンプリング周波数ごとに異なる第３の所定時間を設定し、ＰＣＭ音声信号の入力開始から前記第３の所定時間の経過までのｄｔｓヘッダの有無によりそれぞれリスニングモードをｄｔｓモード及びＰＣＭモードとした状態で、ミュートを解除するようにしたことを特徴とするＰＣＭ音声信号再生装置。
【発明の詳細な説明】
【０００１】
【発明の属する技術分野】
この発明は、リスニングモードをＰＣＭモード及びｄｔｓモードへ切替えて再生できるＰＣＭ音声信号再生装置に関するものである。
【０００２】
【従来の技術】
ｄｔｓ（＝ｄｉｇｉｔａｌ  ｔｈｅａｔｅｒ  ｓｙｓｔｅｍｓ）は、マルチチャンネルのオーディオ信号を圧縮して記録する方式であり、ＤＶＤに限らず、ＣＤやＬＤにも記録方式としても採用されている。ＣＤや、ＬＤに記録されているｄｔｓのＰＣＭ音声信号は、従来からあるプレーヤでの読み出しを確保するために、通常のＰＣＭ（以下、「通常のＰＣＭ」及び「通常のＰＣＭ音声信号」とは、ｄｔｓでないＰＣＭ及びｄｔｓでないＰＣＭ音声信号を言うものとする。）で記録されている。
【０００３】
【発明が解決しようとする課題】
リスニングモードには、ＰＣＭ及びｄｔｓの他に、さらに、ＤＯＬＢＹ  ＤＩＧＩＴＡＬもある。これらリスニングモードを自動や手動で切替える場合、ｄｔｓのＰＣＭ音声信号をＰＣＭモードで再生すると、ノイズ音が出てしまう。これに対して、ＤＯＬＢＹ  ＤＩＧＩＴＡＬの信号には、非オーディオのフラグが立っているので、瞬時にミュートをかけることができる。また、ＤＶＤでは、ｄｔｓの信号にも所定のフラグが存在するため、そのフラグの有無によりＤＶＤからのＰＣＭ音声信号がｄｔｓのものか通常のＰＣＭのものかを識別できる。しかし、ＣＤやＬＤでは、このようなフラグが存在しないため、プレーヤからの読み出しによるＰＣＭ音声信号を、レシーバ内蔵のｄｔｓデコーダによりｄｔｓヘッダを読みとって、ｄｔｓのＰＣＭ音声信号か否かを識別することになる。ｄｔｓヘッダは、Ａ個のサンプル（Ａについは、後述の発明の実施の形態の注記参照）ごとに入っており、その時間間隔は、サンプリング周波数がＣ２ｋＨｚ（Ｃ２についは、後述の発明の実施の形態の注記参照）の場合、Ａ／Ｃ２で約Ｄ４ｍｓ（Ｄ４についは、後述の発明の実施の形態の注記参照）となり。ｄｔｓヘッダを検出するのに、ヘッダを２度読みするとなると、Ｄ５〜Ｄ６ｍｓ（Ｄ５，Ｄ６についは、後述の発明の実施の形態の注記参照）の時間を要し、その間は、光ディスクから入力されるＰＣＭ音声信号が通常のＰＣＭ音声信号かｄｔｓのＰＣＭ音声信号かが不明となり、また、不明中は、ＰＣＭモードで待機するのが通常であるため、ＰＣＭ音声信号がｄｔｓのＰＣＭ音声信号であった場合には、リスニングモードがｄｔｓモードに切替わるまで、スピーカよりノイズ音が出力されてしまう。さらに、リスニングモードの異なるディスクへの交換に対処するため、ＰＣＭ音声信号が途切れると、ｄｔｓモードから外れて、通常のＰＣＭモードに切替わるようになっているので、一時停止やトラックスキップの場合にも、次の再生再開時にノイズ音が発生してしまう。ｄｔｓヘッダを一旦検出すると、ｄｔｓモードに固定することにすると、モードの異なる複数のディスクを連続再生するときに、対処できない。
【０００４】
なお、特開平８−３６８２９号公報の記載によれば、光ディスク再生装置においてサーチ中のノイズ音出力を防止するために、サーチ中はミュートをかける。特開平５−２８１６号公報の記載によれば、音声信号とデータ信号とが混在している光ディスクの再生において、トラック切替わり時にデータ信号が音声出力されて、ノイズ音が発生するのを、ミュートを作動させて、回避している。特開平５−１１４８６８号公報の記載によれば、再生モードの切替に伴い、切替前の再生モードの期間に読み出してバッファに残っているデータを無効にして、そのデータ基づく音声出力を行なわないようにするとともに、切替後の再生モードにおいて読み出されたデータが復号されて、音声出力できる状態になるまで、ミュートをかけている。特開平７−３１２０１４号公報の記載によれば、オーディオＣＤ及びＣＤ−ＲＯＭの両方を再生可能な再生装置において、ＣＤ−ＲＯＭがセットされているときには、ミュートを作動させて、音声が出力されないようにしている。いずれの従来技術も、共通のＰＣＭ音声信号についてのＰＣＭモード及びｄｔｓモードの選択に起因する問題及びその解決手段には言及していない。
【０００５】
このため、本出願人が先に出願した特願平１０−１３９２０３号（本出願時では出願公開前で未公知技術）では、音声記録媒体からのＰＣＭ音声信号が、通常のＰＣＭ音声信号か、ｄｔｓのＰＣＭ音声信号かが不明のときは、ミュートを作動させ、ＰＣＭ音声信号が入力開始後、所定時間待って、その間にｄｔｓヘッダが入力されたら、リスニングモードをｄｔｓモードにした状態でミュートを解除し、また、ｄｔｓヘッダが入力されなかったら、ＰＣＭモードにした状態でミュートを解除している。さらに、音声記録媒体からＰＣＭ音声信号が途切れると、リスニングモードの異なる音声記録媒体へ交換されている場合があるので、ミュートを作動させ、音声記録媒体からＰＣＭ音声信号の入力待ち受け状態にしている。
【０００６】
音声記録媒体からＰＣＭ音声信号が途切れたことを、ＰＣＭ音声信号をワンショット回路へ入力させて、ＰＣＭ音声信号が引き続き入力しているときは、ワンショット回路の出力が”１”に維持され、入力が途切れると、ワンショット回路の出力が”０”となり、”０”となったときに、ＰＣＭ音声信号が途切れたとする場合、ワンショット回路を部品として追加する必要がある。
【０００７】
また、ミュートの作動中、音声記録媒体からのＰＣＭ音声信号が入力開始すると、その時から所定時間内のｄｔｓヘッダの入力の有無を検出して、音声記録媒体からのＰＣＭ音声信号がｄｔｓのＰＣＭ音声信号か通常のＰＣＭ音声信号かを検出するが、音声記録媒体の種類によりサンプリング周波数が異なるため、所定時間の値によっては、サンプリング周波数の大きい音声記録媒体では、頭切れが生じ、サンプリング周波数の小さい音声記録媒体では、ノイズが発生する。
【０００８】
この発明の目的は、上述の問題点を克服することのできるＰＣＭ音声信号再生装置を提供することである。
【０００９】
【課題を解決するための手段】
この発明のＰＣＭ音声信号再生装置（１０）によれば、音声再生中の音声記録媒体からのＰＣＭ音声信号について、パルスの所定方向のエッジを検出し、その検出ごとにプログラム上のタイマをリセットするとともに、タイマによりリセット時からの経過時間を測定開始し、タイマによる経過時間の測定値が第１の所定時間以上となったときには、音声記録媒体からのＰＣＭ音声信号が途切れたと判断することとし、リスニングモードをＰＣＭモード又はｄｔｓモードにして音声再生中、音声記録媒体からのＰＣＭ音声信号が途切れたとタイマの測定から判断したときは、その判断時点から第２の所定時間内のＰＣＭ音声信号の入力の有無を判断し、入力がないときは、ミュートを作動させるようにした。
【００１０】
音声記録媒体には、例えば、ＣＤ、ＬＤ、ＤＶＤ等、音声を記録している光ディスクや磁気テープ等のすべての音声記録媒体が含まれる。ＤＶＤは、音声以外に映像も記録されているが、少なくとも音声を含んでいるので、ここで言う音声記録媒体に含まれる。ＤＶＤでは、ｄｔｓの場合には所定のフラグが存在するため、そのフラグの有無によりＤＶＤからのＰＣＭ音声信号がｄｔｓのＰＣＭ音声信号か通常のＰＣＭ音声信号かを直ちに識別できるが、ＤＶＤからのＰＣＭ音声信号もｄｔｓヘッダを含んでいるので、この発明を適用でき、音声記録媒体からＤＶＤを除外しない。
【００１１】
ＰＣＭ音声信号についてのパルスのエッジには、パルスの立ち上がり及び立下りがあり、所定方向のエッジとは、パルスの立ち上がり及び立下りのどちらか一方である。
【００１２】
第１の所定時間及び第２の所定時間は、後述のこの発明の実施の形態におけるｔ１，Ｅにそれぞれ対応する。
【００１３】
プログラム上のタイマは、音声記録媒体からのＰＣＭ音声信号のパルスの立ち上がり又は立下りがあるたびに、リセットされ、リセット時からの経過時間を測定する。音声記録媒体からのＰＣＭ音声信号が継続しているときは、プログラム上のタイマは、たびたびリセットされ、測定値が第１の所定時間に至ることはない。これに対して、音声記録媒体からのＰＣＭ音声信号が途切れると、プログラム上のタイマは、リセットされないまま、第１の所定時間以上の経過時間に達する。こうして、ワンショット回路を省略して、音声記録媒体からのＰＣＭ音声信号の途切れを検出できる。
【００１４】
音声記録媒体からのＰＣＭ音声信号の途切れは、音声記録媒体の早送り、早戻し、停止（ｓｔｏｐ）、休止（ｐａｕｓｅ）、音声記録媒体の交換等において起こる。音声記録媒体からのＰＣＭ音声信号が途切れたと判断してから第２の所定時間の経過内に、音声記録媒体からのＰＣＭ音声信号の入力がないと、音声記録媒体の交換ということが想定される。音声記録媒体が交換されると、音声記録媒体のリスニングモードが変更されている場合がある。したがって、ＰＣＭ音声信号の入力のないままに、第２の所定時間が経過前したときは、ミュートを作動させ、突然のＰＣＭ音声信号入力の再開時にスピーカやヘッドフォーン等の音声発生器からノイズが出るのを防止する。
【００１５】
音声記録媒体からのＰＣＭ音声信号が途切れたと判断して、それから第２の所定時間の経過内に、音声記録媒体からのＰＣＭ音声信号の入力があるときは、音声記録媒体からのＰＣＭ音声信号の途切れの時間は短く、早送りや早戻し等と想定され、そのような場合は、音声記録媒体はそのままであるので、リスニングモードの変更は不要である。したがって、第２の所定時間の経過前に、ＰＣＭ音声信号の入力があったときは、ＰＣＭモード又はｄｔｓモードを引き続き保持する。
【００１６】
この発明のＰＣＭ音声信号再生装置（１０）によれば、再生中の音声記録媒体からのＰＣＭ音声信号は制御マイコン（１４）のエッジ割込みポートへ入力され、制御マイコン（１４）は、エッジ割込みポートへの入力パルスの所定方向のエッジごとに割込みを発生し、割込みごとにタイマのリセットを行うようにしている。
【００１７】
制御マイコン（１４）は、そのエッジ割込みポートへの入力によりＰＣＭ音声信号のパルスのエッジ発生時刻を検出する。
【００１８】
この発明のＰＣＭ音声信号再生装置（１０）によれば、ミュートを作動させつつ、音声記録媒体からのＰＣＭ音声信号の入力を待ち受けしている状態において、ＰＣＭ音声信号が入力すると、そのＰＣＭ音声信号のサンプリング周波数を検出し、サンプリング周波数ごとに異なる第３の所定時間を設定し、ＰＣＭ音声信号の入力開始から第３の所定時間の経過までのｄｔｓヘッダの有無によりそれぞれリスニングモードをｄｔｓモード及びＰＣＭモードとした状態で、ミュートを解除するようにした。なお、ここで言う”サンプリング周波数”は”フレーム周波数”と呼ばれることもあるが、値は同じである。
【００１９】
第３の所定時間は、後述のこの発明の実施の形態におけるＤ１，Ｄ２，Ｄ３に対応する。
【００２０】
ミュートを作動させている場合とは、一般的には、音声記録媒体のリスニングモードが通常のＰＣＭのものか、ｄｔｓのものか不明の場合である。ミュートを作動させつつ、音声記録媒体からのＰＣＭ音声信号の入力を待ち受けているときに、ＰＣＭ音声信号が入力されると、ＰＣＭ音声信号からサンプリング周波数を検出する。ｄｔｓでは、何個の個数のサンプルに対してｄｔｓヘッダ付きサンプルを１個入れるかは決められており、この割合は、音声記録媒体の種類に関係ない。しかし、サンプリング周波数は音声記録媒体の種類によって異っているので、ｄｔｓヘッダを、１回読み込むために、あるいは信頼性のために２回等の複数個を読み込みするとして、所定個数の読み込みに必要な時間は各音声記録媒体のサンプリング周波数ごとに異なることになる。所定個数のｄｔｓヘッダの読み込みにかける時間Ｄを、音声記録媒体の種類に関係なく、一律に設定すると、サンプリング周波数の大きい音声記録媒体では、時間Ｄが必要以上に長い時間となり、該時間Ｄが経過してから、ミュートを解除するようにすると、ｄｔｓヘッダでは、頭切れが生じる。これに対して、サンプリング周波数の小さい音声記録媒体では、該時間Ｄが必要時間より短い設定となり、ｄｔｓヘッダを読み込む前に、ミュートが解除されてしまい、ｄｔｓヘッダでは、スピーカ等の音声発生器からノイズが出てしまう。このＰＣＭ音声信号再生装置（１０）では、ＰＣＭ音声信号の入力開始からｄｔｓヘッダの読み込みにかける時間を、ＰＣＭ音声信号のサンプリング周波数に関係して設定するので、ＰＣＭ音声信号が通常のＰＣＭ音声信号かｄｔｓのＰＣＭ音声信号かを必要な最小の時間で識別することができ、ミュート解除時の頭切れやノイズの発生を防止できる。
【００２１】
【発明の実施の形態】
以下、発明の実施の形態について図面を参照して説明する。
【００２２】
［符号についての注記］：以降の説明において、種々の所定値を符号で示しているが、各符号の定義は次の通りである。
ｔ１：図２において、割込み発生時から次の割込みが発生することなく、この所定時間ｔ１が経過すると、ソース機器からのＰＣＭ音声信号が途切れたと判断される。単位ｍｓ。小数点以上、３桁の数。
ｔ２：図５のワンショット回路１９は、入力パルスの立下り時から次の入力パルスが来ることなく、この所定時間ｔ２が経過すると、出力を”１”から”０”へ切替える。単位ｍｓ。小数点以上、２桁の数。
Ａ：ｄｔｓのＰＣＭ音声信号では、Ａ個のサンプルに対して１個のサンプルの割合で、ｄｔｓヘッダが含まれている。４桁の整数。
Ｃ１：音声をｄｔｓ形式で記録しているＤＶＤのＰＣＭ音声信号のサンプリング周波数。単位ｋＨｚ。小数点以上２桁の数。
Ｃ２：音声をｄｔｓ形式で記録しているＣＤやＬＤのＰＣＭ音声信号のサンプリング周波数。単位ｋＨｚ。小数点以上２桁の数。Ｃ２＜Ｃ１。
Ｄ１：サンプリング周波数がＣ１であるときの、２個のｄｔｓヘッダ付きサンプルを読み出すのにかかる時間。単位ｍｓ。小数点以上２桁の数。
Ｄ２：サンプリング周波数がＣ２であるときの、２個のｄｔｓヘッダ付きサンプルを読み出すのにかかる時間。単位ｍｓ。小数点以上２桁の数。Ｄ２＞Ｄ１。
Ｄ３：サンプリング周波数がＣ３（Ｃ３＜Ｃ２＜Ｃ１）であるときの、２個のｄｔｓヘッダ付きサンプルを読み出すのにかかる時間。単位ｍｓ。小数点以上２桁の数。Ｄ３＞Ｄ２＞Ｄ１。
Ｄ４：Ａ／Ｃ２ｋＨｚを少数第３位で四捨五入した数値。単位ｍｓｅｃ。小数点以上２桁、小数点以下２桁の数。
Ｄ５：Ｄ４を小数点以下切り上げた数値。単位ｍｓ。小数点以上２桁の数。
Ｄ６：Ｄ５の２倍の数値。単位ｍｓ。小数点以上２桁の数。
Ｅ：データが途切れたと判断した時からこの時間Ｅ以上が経過すると、ユーザがプレーヤの光ディスクを交換している可能性があるものとして設定された時間。単位秒。小数点以上、１桁の数。例えば５秒。
【００２３】
図１はＰＣＭ／ｄｔｓレシーバ１０のＰＣＭ音声信号の処理に係る部分のブロック図である。ディジタルの音声入力信号はＤＩＲ（Ｄｉｇｉｔａｌ  Ｉｎｔｅｒｆａｃｅ  Ｒｅｇｉｓｔｅｒ）１１へ直接に、また、アナログの音声入力信号は、Ａ／Ｄ（Ａｎａｌｏｇ／Ｄｉｇｉｔａｌ）変換器１２においてＡ／Ｄ変換されてから、ＤＩＲ１１へ入力される。ＣＤプレーヤ、ＬＤプレーヤ、ＤＶＤプレーヤ等の各ソース機器は、それらの出力端子をＤＩＲ１１の各ディジタル入力端子へ接続されている。Ａ／Ｄ変換器１２からの入力を含めてＤＩＲ１１がどの入力端子を選択するかは制御マイコン１４からの制御信号により決定される。ＤＩＲ１１は、入力信号よりクロック（ｃｌｏｃｋ）パルスを生成し、そのクロックパルスと、ＰＣＭ音声信号（図面ではＤＡＴＡと記載している。）とを出力する。ＤＩＲ１１からのデータ信号は、ＰＣＭとｄｔｓとの兼用のＰＣＭ／ｄｔｓ用ＤＳＰ（Ｄｉｇｉｔａｌ  Ｓｉｇｎａｌ  Ｐｒｏｃｅｓｓｏｒ）１３、及び制御マイコン１４へ入力される。
【００２４】
図２は図１の制御マイコン１４のエッジ割込みポートへのＰＣＭ音声信号の入力と制御マイコン１４における割込み発生との関係を示している。制御マイコン１４は、ＤＩＲ１１からのデータ信号をエッジ割込みポートへ入力され、エッジ割込みポートへの入力パルスの立ち上がり時に割込み▲１▼，▲２▼，▲３▼が生じる。制御マイコン１４は、これらの割込み▲１▼，▲２▼，▲３▼によりデータの有無を検出する。すなわち、光ディスクの再生中は、割込みが継続して生じるのに対し、光ディスクの停止中、早送りや早戻し中、さらには光ディスクの交換中等では、制御マイコン１４における割込みが途切れる。
【００２５】
図３は制御マイコン１４のエッジ割込みポートへのＰＣＭ音声信号の入力とＰＣＭ音声信号の途切れ判定との関係を示している。図３の下段のパルスは図２の割込みを意味し、割込み発生からｔ１ｍｓの間、次の割込みが発生しないときは、ＰＣＭ音声信号は途切れたと制御マイコン１４により判定される。
【００２６】
ＰＣＭ／ｄｔｓ用ＤＳＰ１３は、ＰＣＭ用ＤＳＰ部とｄｔｓ用ＤＳＰ部とを内蔵しており、ＰＣＭ用ＤＳＰ部は、入力ＰＣＭ音声信号をそのまま、又は音場効果を付加して、出力する。ｄｔｓ用ＤＳＰ部は、入力信号におけるｄｔｓヘッダの有無を検出し、ｄｔｓヘッダの有無に対応してｄｔｓ検出ポートにそれぞれ”Ｈ”及び”Ｌ”を出力するとともに、入力ＰＣＭ音声信号をｄｔｓで復号する。制御マイコン１４は、ＰＣＭ／ｄｔｓ用ＤＳＰ１３のｄｔｓ用ＤＳＰ部のｄｔｓ検出ポートが”Ｌ”及び”Ｈ”のときに、それぞれＰＣＭ／ｄｔｓ用ＤＳＰ１３のＰＣＭ用ＤＳＰ部及びｄｔｓ用ＤＳＰ部の出力を選択して、ＰＣＭ／ｄｔｓ用ＤＳＰ１３に内蔵のポストプロセッサＤＳＰ部へ入力する。ポストプロセッサＤＳＰ部は、入力信号に対してＢＡＳＳ  ＭＡＮＡＧＥＭＥＮＴ、ＤＥＬＡＹ、及びミュート等の処理を行ない、Ｄ／Ａ（Ｄｉｇｉｔａｌ／Ａｎａｌｏｇ）変換器２７へ送る。Ｄ／Ａ変換器２７は、入力をアナログ信号へ変換して、出力する。
【００２７】
図４はワンショット回路１９を使ってソースからの入力信号の途切れを検出するＰＣＭ／ｄｔｓレシーバ１０のブロック図である。また、図５は図４のワンショット回路１９の入力（ＩＮ）と出力（ＯＵＴ）とのタイミングチャートである。ワンショット回路１９は、ＤＩＲ１１からパルスを入力すると、出力を”０”から”１”へ立ち上げる。そして、入力の立下りから所定時間ｔ２ｍｓ後に出力を”１”から”０”へ戻す。もし、ワンショット回路１９が所定時間ｔ２ｍｓ内にパルスを入力されると、所定時間ｔ２ｍｓの開始は、その新たな入力パルスの立ち下がり時刻からに更新される。図４のＰＣＭ／ｄｔｓレシーバ１０では、制御マイコン１４は、ワンショット回路１９からの入力が”０”か”１”かにより、ソース機器からのＰＣＭ音声信号が継続しているか、途切れたかを判定するようにしている。ワンショット回路１９を装備する分、ＰＣＭ／ｄｔｓレシーバ１０の部品点数は増となるとともに、ＰＣＭ／ｄｔｓレシーバ１０の構造が複雑化する。
【００２８】
図６はＰＣＭ音声信号の待ち受け状態から所定のリスニングモードへ切替える過程のフローチャートである。例えは、光ディスクの交換等の場合には、次の光ディスクのリスニングモードがＰＣＭモード及びｄｔｓモードのどちらであるか不明であり、リスニングモードの選択を誤ると、スピーカからノイズが出たり、曲の頭切れが起きる。これを回避するために、ミュートを作動させつつ、ＰＣＭ音声信号の入力を待ち受けることにする。すなわち、Ｓ２５において、ミュートをオン（作動状態）にするとともに、初期のリスニングモードとしてＰＣＭモードを選択する。Ｓ２６では、制御マイコン１４へのＰＣＭ音声信号（データ）の入力を監視し、ＰＣＭ音声信号の入力がありしだい、Ｓ２７へ進む。Ｓ２７では、制御マイコン１４へのＰＣＭ音声信号（データ）のサンプリング周波数を検出する。そして、検出したサンプリング周波数とＣ１ｋＨｚ、Ｃ２ｋＨｚと対比し（Ｓ２８，Ｓ３０）、サンプリング周波数＝Ｃ１ｋＨｚであれば、タイマを設定時間Ｄ１ｍｓにして起動し（Ｓ２９）、サンプリング周波数＝Ｃ２ｋＨｚであれば、タイマを設定時間Ｄ２ｍｓにして起動し（Ｓ３１）、サンプリング周波数がＣ１ｋＨｚでもＣ２ｋＨｚでもないときは、タイマを設定時間Ｄ３ｍｓにして起動する（Ｓ３２）。ＣＤやＬＤのサンプリング周波数はＣ１ｋＨｚであり、ＤＶＤのサンプリング周波数はＣ２ｋＨｚである。Ｓ３７では、タイマがその設定時間の計測を終了したか否かを判定し、Ｓ３８では、ｄｔｓヘッダを検出したかないかを判定する。そして、タイマが設定時間の計測を終了するまでに、ｄｔｓヘッダが検出されたときは、リスニングモードをｄｔｓモードへ切替えてから、ミュートをオフ（解除）にする（Ｓ３９）。タイマが設定時間の計測を終了するまでに、ｄｔｓヘッダが検出されないときは、リスニングモードをＰＣＭモードへ切替えてから、ミュートをオフにする（Ｓ４０）。
【００２９】
図７はリスニングモードをＰＣＭモードにして再生中のリスニングモード制御過程のフローチャートである。最初に、タイマを設定時間ｔ１ｍｓにして起動させる（Ｓ４４）。Ｓ４５ではｄｔｓヘッダが検出されたか否かを判断し、Ｓ４６ではＰＣＭ音声信号（データ）が入力されたか否かを判定し、Ｓ４７ではＳ４４の起動からタイマの経過時間測定値がｔ１ｍｓ以上になったか否かを判定する。こうして、ＰＣＭ音声信号が通常のＰＣＭ音声信号からｄｔｓのＰＣＭ音声信号へ万一、切り替わったときのように、Ｓ４４におけるタイマ起動後、ｔ１ｍｓが経過する前に、ｄｔｓヘッダが検出されると、Ｓ５５へ進み、また、再生継続中のように、ＰＣＭ音声信号が引き続いて入力されているときでは、Ｓ４４におけるタイマ起動後、ｄｔｓヘッダは検出されないが、ｔ１ｍｓが経過する前に、次のＰＣＭ音声信号が入力されると、Ｓ４４へ戻る。さらに、光ディスクの早送りや交換等のように、Ｓ４４におけるタイマ起動後、ｄｔｓヘッダが検出されず、かつＰＣＭ音声信号の入力もないままに、ｔ１ｍｓが経過すると、すなわち、ＰＣＭ音声信号が途切れたと判断すると、Ｓ４８へ進む。Ｓ４８では、設定時間をＥ秒にしたタイマを新たに起動する。Ｓ４８のタイマ起動後、Ｅ秒経過したか否かの判定と（Ｓ４９）、ＰＣＭ音声信号の入力が再開されたか否かの判定を行う（Ｓ５０）。そして、光ディスクの早送り時、早戻り時、トラックスキップ、トラックジャンプ時のように、Ｅ秒の経過する前に、ＰＣＭ音声信号が入力されると、Ｓ４４へ戻り、また、光ディスクの交換時のように、ＰＣＭ音声信号の入力が再開されないまま、Ｅ秒が経過すると、Ｓ５１へ進む。Ｓ５１では、ミュートをオンにし、音声記録媒体の待ち受け状態（図６のスタート）に入る。Ｓ５５では、リスニングモードをｄｔｓモードへ切替えてから、ミュートをオフにし、光ディスクをｄｔｓモードで再生する状態（図８のトップ）に入る。
【００３０】
図８及び図９はリスニングモードをｄｔｓモードにして再生中のリスニングモード制御過程のフローチャートである。最初に、タイマを設定時間ｔ１ｍｓにして起動させる（Ｓ５９）。Ｓ６０ではｄｔｓヘッダが検出されたか否かを判断し、Ｓ６１ではＰＣＭ音声信号（データ）が入力されたか否かを判定し、Ｓ６２ではＳ５９の起動からタイマの経過時間測定値がｔ１ｍｓ以上になったか否かを判定する。こうして、ｄｔｓモードの光ディスクの再生中のように、ＰＣＭ音声信号が引き続いて入力されているときのように、Ｓ５９におけるタイマ起動後、ｔ１ｍｓが経過する前に、ｄｔｓヘッダが検出されるか、次のＰＣＭ音声信号が入力されると、Ｓ５９へ戻る。そして、光ディスクの早送りや交換等のように、Ｓ５９におけるタイマ起動後、ｄｔｓヘッダが検出されず、かつＰＣＭ音声信号入力もないままに、ｔ１ｍｓが経過すると、すなわち、ＰＣＭ音声信号が途切れたと判断すると、Ｓ６３へ進む。Ｓ６３では、ミュートをオンにする。Ｓ６４では、設定時間をＥ秒にしたタイマを新たに起動する。Ｓ６４のタイマ起動後、Ｓ６５ではＥ秒経過したか否かの判定し、Ｓ６６ではｄｔｓヘッダが検出されたか否かの判定し、Ｓ６８ではＰＣＭ音声信号入力が再開されたか否かの判定を行う。そして、光ディスクの早送り時、早戻り時、トラックスキップ、トラックジャンプ時のように、Ｅ秒の経過する前に、ｄｔｓヘッダが検出されると、ミュートをオフにして（Ｓ６７）、Ｓ５９へ戻る。すなわち、ｄｔｓモードを維持する。また、Ｅ秒の経過する前に、ｄｔｓヘッダは検出されないものの、ＰＣＭ音声信号の入力があると、Ｓ７４へ進む。さらに、光ディスクの交換時のように、ｄｔｓヘッダの入力がなく、かつＰＣＭ音声信号の入力のないままに、Ｅ秒が経過したときは、ＰＣＭ音声信号の待ち受け状態（図６のスタート）に入る。
【００３１】
Ｓ７４では、制御マイコン１４へのＰＣＭ音声信号から検出したサンプリング周波数を入力する。そして、検出したサンプリング周波数とＣ１ｋＨｚ、Ｃ２ｋＨｚと対比し（Ｓ７６，Ｓ７８）、光ディスクがＣＤやＬＤのときのように、サンプリング周波数＝Ｃ１ｋＨｚであれば、タイマを設定時間Ｄ１ｍｓにして起動し（Ｓ７７）、光ディスクがＤＶＤのときのように、サンプリング周波数＝Ｃ２ｋＨｚであれば、タイマを設定時間Ｄ２ｍｓにして起動し（Ｓ７９）、サンプリング周波数がＣ１ｋＨｚでもＣ２ｋＨｚでもないときは、タイマを設定時間Ｄ３ｍｓにして起動する（Ｓ８０）。Ｓ８４では、タイマがその設定時間の計測を終了したか否かを判定し、Ｓ８５では、ｄｔｓヘッダを検出したかないかを判定する。そして、タイマが設定時間の計測を終了するまでに、ｄｔｓヘッダが検出されたときは、ｄｔｓモードを維持したまま、ミュートをオフし（Ｓ８６）、Ｓ５９へ戻る。タイマが設定時間の計測を終了するまでに、ｄｔｓヘッダが検出されないときは、リスニングモードをＰＣＭモードへ切替えてから、ミュートをオフにし（Ｓ９０）、以降は、ＰＣＭモードで再生を行う。
【００３２】
なお、図７のフローチャートでは、Ｅ秒計測中、ＤＡＴＡ入力があれば、この間のデータの途切れは、光ディスクの交換ではなく、早送りや早戻しによるものとみなして、現在のリスニングモードを維持するようになっているのに対して、図８及び図９のフローチャートでは、Ｅ秒計測中、ＤＡＴＡ入力があっても（Ｓ６８の判定がＹｅｓ）、現在のリスニングモードを維持することなく、ｄｔｓの有無を調べてから（Ｓ８５）、リスニングモードを決める。この理由は次の（ａ）〜（ｃ）の場合に対処するためである。（ａ）１つの光ディスク内に、例えばトラック１はｄｔｓ、トラック２はＰＣＭと言うように、ｄｔｓのトラックとＰＣＭのトラックとが含まれて記録されていて、そのようなトラック間を移行する場合。（ｂ）Ｅ秒以内に、光ディスクが交換された場合。（ｃ）プレーヤが２個等、複数個のピックをもち、各ピックでリスニングモードの異なる光ディスクがセットされ、再生ピックが切替えられた場合。
【００３３】
図１０は図６とは別の過程でかつＰＣＭ音声信号の待ち受け状態から所定のリスニングモードへ切替える過程のフローチャートである。Ｓ９５において、ミュートを作動するとともに、初期のリスニングモードとしてＰＣＭモードを選択する。Ｓ９６では、制御マイコン１４へのＰＣＭ音声信号（データ）の入力を監視し、データ入力がありしだい、Ｓ９７へ進む。Ｓ９７では、タイマを設定時間Ｄ１ｍｓにして起動する。このＤ１ｍｓはＣＤやＬＤのサンプリング周波数に対応する。Ｓ９８ではＤ１ｍｓが経過したか否かを判定し、Ｓ９９ではｄｔｓヘッダを検出したか否かを判定する。そして、光ディスクがＣＤやＬＤのときのように、Ｄ１ｍｓの間にｄｔｓヘッダを読み込めば、Ｓ１１２へ進み、また、Ｄ１ｍｓが経過すれば、Ｓ１０４へ進む。Ｓ１０４では、サンプリング周波数を入力し、Ｓ１０５において、サンプリング周波数＝Ｃ２ｋＨｚであるか否かを判定する。Ｃ２ｋＨｚはＤＶＤのサンプリング周波数に対応する。そして、サンプリング周波数＝Ｃ２ｋＨｚであれば、タイマを設定時間（Ｄ２−Ｄ１）ｍｓにして起動し（Ｓ１０６）、サンプリング周波数がＣ２ｋＨｚでなかったら、タイマを設定時間（Ｄ３−Ｄ１）ｍｓにして起動する（Ｓ１０７）。タイマの設定時間の（Ｄ２−Ｄ１）ｍｓ及び（Ｄ３−Ｄ１）ｍｓは、結局は、Ｓ９７のタイマの設定開始からそれぞれＤ２ｍｓ及びＤ３ｍｓを設定したのに等しい。Ｓ１１０では、タイマがその設定時間の計測を終了したか否かを判定し、Ｓ１１１では、ｄｔｓヘッダを検出したか否かを判定する。そして、タイマが設定時間の計測を終了するまでに、ｄｔｓヘッダが検出されたときは、リスニングモードをｄｔｓモードへ切替えてから、ミュートをオフにする（Ｓ１１２）。タイマが設定時間の計測を終了するまでに、ｄｔｓヘッダが検出されないときは、リスニングモードをＰＣＭモードに維持したまま、ミュートをオフにする（Ｓ１１５）。
【図面の簡単な説明】
【図１】ＰＣＭ／ｄｔｓレシーバのＰＣＭ音声信号の処理に係る部分のブロック図である。
【図２】図１の制御マイコンのエッジ割込みポートへのＰＣＭ音声信号の入力と制御マイコンにおける割込み発生との関係を示す図である。
【図３】制御マイコンのエッジ割込みポートへのＰＣＭ音声信号の入力とＰＣＭ音声信号の途切れ判定との関係を示す図である。
【図４】ワンショット回路を使ってソースからの入力信号の途切れを検出するＰＣＭ／ｄｔｓレシーバのブロック図である。
【図５】図４のワンショット回路の入力（ＩＮ）と出力（ＯＵＴ）とのタイミングチャートである。
【図６】ＰＣＭ音声信号の待ち受け状態から所定のリスニングモードへ切替える過程のフローチャートである。
【図７】リスニングモードをＰＣＭモードにして再生中のリスニングモード制御過程のフローチャートである。
【図８】リスニングモードをｄｔｓモードにして再生中のリスニングモード制御過程の第一部分のフローチャートである。
【図９】リスニングモードをｄｔｓモードにして再生中のリスニングモード制御過程の第の部分のフローチャートである。
【図１０】別の過程でかつＰＣＭ音声信号の待ち受け状態から所定のリスニングモードへ切替える過程のフローチャートである。
【符号の説明】
１０    ＰＣＭ／ｄｔｓレシーバ（ＰＣＭ音声信号再生装置）
１３    ＰＣＭ／ｄｔｓ用ＤＳＰ
１４    制御マイコン
【図１】
0003576841.tif 000002
【図２】
0003576841.tif 000003
【図３】
0003576841.tif 000004
【図４】
0003576841.tif 000005
【図５】
0003576841.tif 000006
【図６】
0003576841.tif 000007
【図７】
0003576841.tif 000008
【図８】
0003576841.tif 000009
【図９】
0003576841.tif 000010
【図１０】
0003576841.tif 000011